(57)【要約】【課題】  非使用時において、ハーネス型の墜落制止用器具が回らないようにして、迅速、かつ整然と吊り下げられるようにすると共に、必要に応じて、工具用腰ベルト及びヘルメットの吊掛けも併せて可能にすることである。【解決手段】  肩、胸、胴、腿、骨盤等の各ベルト６１〜６５が一連に連結されたハーネス型墜落制止用器具Ａを非使用時に吊り掛けるためのハンガーＨ1 であって、垂直基部１の下端部に左右対称に吊掛け部２が形成された逆Ｔ字形のハンガー本体ＨＢ1 と、当該ハンガー本体ＨＢ1 の垂直基部１の上端部に設けられて、吊下げパイプＰに対して当該ハンガー本体ＨＢ1 を取着させるクランプ具Ｃとから成り、前記吊掛け部２の両端部には、前記ハーネス型墜落制止用器具Ａを構成する２本の肩ベルト６１をそれぞれ吊り掛けた状態で、当該各肩ベルト６１が外れるのを防止するベルト外れ防止部３が上方に向けて形成された構成とする。【選択図】  図２
2020188982.tif 000002
【特許請求の範囲】
【請求項１】
肩、胸、胴、腿、骨盤等の各ベルトが一連に連結されて、各ベルトを作業者の身体の各部にハーネス状にあてがって、当該作業者の墜落時の安全を図るハーネス型墜落制止用器具を非使用時に吊り掛けるためのハンガーであって、
垂直基部の下端部に左右対称に吊掛け部が形成された逆Ｔ字形のハンガー本体と、当該ハンガー本体の垂直基部の上端部に設けられて、吊下げバーに対して当該ハンガー本体を取着させる取着体とから成り、
前記吊掛け部の両端部には、前記ハーネス型墜落制止用器具を構成する２本の肩ベルトをそれぞれ吊り掛けた状態で、当該各肩ベルトが外れるのを防止するベルト外れ防止部が上方に向けて形成されていることを特徴とするハーネス型墜落制止用器具のハンガー。
【請求項２】
前記取着体は、前記吊下げバーに対して回動不能に、しかも着脱可能に装着される別体のクランプ具であって、
前記ハンガー本体の垂直基部の上端部の裏面側には、前記クランプ具を一体に取付け可能な被取付け部が形成されていることを特徴とする請求項１に記載のハーネス型墜落制止用器具のハンガー。
【請求項３】
前記ハンガー本体の垂直基部の下端部には、工具用腰ベルトを吊り掛けるための腰ベルト用フックが前方に突出して形成されていることを特徴とする請求項１又は２に記載のハーネス型墜落制止用器具のハンガー。
【請求項４】
前記ハンガー本体の垂直基部の上下方向に沿った中央部には、ヘルメットを吊り掛けるためのヘルメット用フックが前方に突出して形成されていることを特徴とする請求項３に記載のハーネス型墜落制止用器具のハンガー。
【請求項５】
前記ハンガー本体の垂直基部の上端部にはネームプレート部が設けられていることを特徴とする請求項１ないし４のいずれかに記載のハーネス型墜落制止用器具のハンガー。
【発明の詳細な説明】
【技術分野】
【０００１】
本発明は、非使用時において、高所作業に使用されるハーネス型の墜落制止用器具を迅速、かつ整然と吊り下げるためのハンガーに関するものである。
【背景技術】
【０００２】
建設業等の高所作業において作業者が装着する「安全帯」は、厚生労働省の定める労働安全衛生規則に規定されている。この「安全帯」は、法令改正により「墜落制止用器具」と名称が変更され、使用が認められる「墜落制止用器具」は、胴部のみにベルトを装着する「胴ベルト型」と、肩、胸、胴、腿、骨盤等の各ベルトが一連に形成されて、人体に対してハーネス（馬具）状にして装着する「ハーネス型」とがあるが、人体（生命）の安全の確保の点からは、「ハーネス型」が推奨されている。いずれの型においても、「墜落制止用器具」の一部をランヤードと称される安全ロープを介して周囲の固定体に固定することで、作業者が作業場所から墜落しても、当該ランヤードを介して宙吊りにして、人体の安全又は生命の確保を図っている。
【０００３】
ハーネス型の墜落制止用器具Ａは、図１に示されるように、肩、胸、胴、腿及び骨盤の各ベルト６１，６２，６３，６４，６５が一連に連結されているため、非使用時に人体から取り外した場合において、不整形状となって取り扱いが難しい。なお、図１において、６６は、周囲の固定体に引っ掛けるフックが先端に取付けられたランヤードを示す。
【０００４】
また、一般に、高所作業者は、上記したハーネス型の墜落制止用器具とは別に、作業に必要な各種工具を身体に保持させるための工具用腰ベルトを装着することが多いと共に、安全確保のためのヘルメットは、当然に着用している。このため、高所作業を終えて作業者は、ハーネス型の墜落制止用器具、工具用腰ベルト及びヘルメットの３点をセットして保管する必要がある。従来のハーネス型の墜落制止用器具のハンガーとしては、特許文献１に開示のものが知られているが、このハンガーでは、墜落制止用器具しか吊り下げることができないと共に、吊掛け状態において、吊下げバーに対してハンガー自体が回動することで、隣接する別の墜落制止用器具と絡まってしまう問題があった。
【先行技術文献】
【特許文献】
【０００５】
【特許文献１】特開２００４−４１４７１号公報
【発明の概要】
【発明が解決しようとする課題】
【０００６】
本発明は、非使用時において、ハーネス型の墜落制止用器具が回らないようにして、迅速、かつ整然と吊り下げられるようにすると共に、必要に応じて、工具用腰ベルト及びヘルメットの吊掛けも併せて可能にすることを課題としている。
【課題を解決するための手段】
【０００７】
上記課題を解決するための請求項１の発明は、肩、胸、胴、腿、骨盤等の各ベルトが一連に連結されて、各ベルトを作業者の身体の各部にハーネス状にあてがって、当該作業者の墜落時の安全を図るハーネス型墜落制止用器具を非使用時に吊り掛けるためのハンガーであって、
垂直基部の下端部に左右対称に吊掛け部が形成された逆Ｔ字形のハンガー本体と、当該ハンガー本体の垂直基部の上端部に設けられて、吊下げバーに対して当該ハンガー本体を取着させる取着体とから成り、
前記吊掛け部の両端部には、前記ハーネス型墜落制止用器具を構成する２本の肩ベルトをそれぞれ吊り掛けた状態で、当該各肩ベルトが外れるのを防止するベルト外れ防止部が上方に向けて形成されていることを特徴としている。
【０００８】
請求項１の発明によれば、逆Ｔ字形のハンガー本体は、当該ハンガー本体の垂直基部の上端部に設けられる取着体を介して吊下げバーに対して取着され、複数のベルトが一連に連結されたハーネス型の墜落制止用器具の２本の肩ベルトを、ハンガー本体の吊掛け部における垂直基部の両側の部分にそれぞれ吊り掛けると、複雑な形状をした墜落制止用器具は、前記ハンガー本体に吊り掛けられ、ハンガー本体の吊掛け部の左右両端部にそれぞれ設けられた各ベルト外れ防止部により、墜落制止用器具の各肩ベルトが外方にずれて外れるのを防止できる。
【０００９】
請求項２の発明は、請求項１の発明において、前記取着体は、前記吊下げバーに対して回動不能に、しかも着脱可能に装着される別体のクランプ具であって、
前記ハンガー本体の垂直基部の上端部の裏面側には、前記クランプ具を一体に取付け可能な被取付け部が形成されていることを特徴としている。
【００１０】
請求項２の発明によれば、ハンガー本体の垂直基部の上端部に裏面側の被取付け部に、当該ハンガー本体とは別体のクランプ具が取付けられて、当該ハンガー本体は、当該クランプ具を介して吊下げバーに対して回動不能に取着される。このため、ハーネス型の墜落制止用器具を吊り下げているハンガー本体は、吊下げバーに対して回動しないので、人体の複数部位に対応する各ベルトのみで構成されて、ハンガーを介して吊下げバーに吊り下げられている隣接する墜落制止用器具と絡まるのを防止できる。
【００１１】
請求項３の発明は、請求項１又は２の発明において、前記ハンガー本体の垂直基部の下端部には、工具用腰ベルトを吊り掛けるための腰ベルト用フックが前方に突出して形成されていることを特徴としている。
【００１２】
建設業等の高所作業は、種々の工具を必要として、ハーネス型の墜落制止用器具を装着している作業者は、当該墜落制止用器具に加えて、各種工具を身体に保持されるための腰ベルトを装着することが多い。請求項３の発明によれば、前記ハンガー本体の垂直基部の下端部に前方に突出して形成された腰ベルト用フックに前記工具用腰ベルトを吊り掛けることで、当該工具用腰ベルトは、ハーネス型の墜落制止用器具に対して前後方向にずれて配置されるため、当該墜落制止用器具に対して絡まることなく、分離して吊り掛けられる。
【００１３】
請求項４の発明は、請求項３の発明において、前記ハンガー本体の垂直基部の上下方向に沿った中央部には、ヘルメットを吊り掛けるためのヘルメット用フックが前方に突出して形成されていることを特徴としている。
【００１４】
高所作業を行う作業者は、ヘルメットの着用が義務化されており、請求項４の発明によれば、ヘルメット用フックに、ハーネス型の墜落制止用器具及び工具用腰ベルトに加えて、ヘルメットも保持させられるので、着用時において、作業者は、作業に必要な上記３点が揃って保持されているので、いちいち探す必要がなくなって、迅速に着用できる。
【００１５】
請求項５の発明は、請求項１ないし４のいずれかの発明において、前記ハンガー本体の垂直基部の上端部にはネームプレート部が設けられていることを特徴としている。
【００１６】
ハーネス型の墜落制止用器具を含めて、作業用具、及び作業衣の保管室には、多数の作業者の同じような作業用具、及び作業衣が保管されており、着用時に間違う恐れがある。請求項５の発明によれば、ハンガー本体の垂直基部の上端部に設けられたネームプレート部に、各人の氏名又は所属する会社名等を記録することで、上記間違いを容易に防止できる。
【発明の効果】
【００１７】
請求項１の発明によれば、多数のベルトが一連に連結された取り扱いの厄介なハーネス型の墜落制止用器具を、側方に外れることなく、迅速、かつ整然と吊り掛けられる。請求項２の発明によれば、吊下げバーに対してハンガーが回動することなく取着されるので、当該ハンガーに吊り掛けられた前記墜落制止用器具が回るのを防止できて、隣接する別の墜落制止用器具と絡まなくなる。請求項４の発明によれば、ハーネス型の墜落制止用器具、工具用腰ベルト及びヘルメットの３点を、同一のハンガーに一緒に吊り掛けられる。
【図面の簡単な説明】
【００１８】
【図１】（ａ），（ｂ）は、それぞれハーネス型の墜落制止用器具Ａを装着した作業者の正面図及び背面図である。
【図２】（ａ），（ｂ）は、それぞれハンガーＨ1 に墜落制止用器具Ａ、工具用腰ベルトＢ及びヘルメットＭを吊り掛けた状態の正面図及び側面図である。
【図３】吊下げパイプＰにハンガーＨ1 を取着した状態の斜視図である。
【図４】（ａ），（ｂ）は、それぞれハンガーＨ1 を異なる方向から見た斜視図である。
【図５】ハンガー本体ＨＢ1 とクランプ具Ｃとの分解斜視図である。
【図６】（ａ）は、ハンガーＨ1 の正面図、（ｂ）は、（ａ）のＸ−Ｘ線断面図である。
【図７】（ａ），（ｂ）は、それぞれ吊下げパイプＰに取着されたハンガーＨ2 及びクランプ具Ｃに対して分離されたハンガー本体ＨＢ2 の斜視図である。
【図８】吊下げパイプＰに取着されたハンガーＨ3 の斜視図である。
【図９】吊下げパイプＰに取着されたハンガーＨ4 の斜視図である。
【発明を実施するための形態】
【００１９】
以下、複数の実施例を挙げて、本発明について更に詳細に説明する。
【実施例１】
【００２０】
本発明の実施例１のハンガーＨ1 が、図２〜図６に示されている。ハンガーＨ1 は、逆Ｔ字状をした樹脂製のハンガー本体ＨＢ1 と、当該ハンガー本体ＨＢ1 を吊下げパイプＰに取着するための金属製のクランプ具Ｃとから成る。ハンガー本体ＨＢ1 は、全体形状及び機能面からは、垂直配置される垂直基部１と、当該垂直基部１の下端部に左右対称に配置された吊掛け部２とから成り、当該吊掛け部２の左右両端部に、上方に向けてベルト外れ防止部３がそれぞれ設けられた構成である。垂直基部１の上半部は、背面側に前記クランプ具Ｃの被取付け平面４を確保するために、下半部に比較して幅広に形成され、前記吊掛け部２は、前記垂直基部１の下端部よりも僅かに上方の部分に横方向に一体に形成されているために、当該垂直基部１の下端部は、そのままの状態で下方に僅かに突出していて、当該垂直基部１の下方に突出した下端部に、後述の腰ベルト用フックＦ1 が斜上方に突出して形成されている。垂直基部１に対して左右対称に配置された前記吊掛け部２の上面（後述の外リブ板４２で形成される面）は、当該垂直基部１に近い側に対して離れた側が低くなるように傾斜している。垂直基部１の上部には、横長の長方形板状のネームプレート部８が設けられている。
【００２１】
一方、ハンガー本体ＨＢ1 は、具体的構造面からは、全体が逆Ｔ字平板状の平板基板４１の全外周縁に、当該平板基板４１を補強するための一定幅の補強用の外リブ板４２が、当該平板基板４１に対して垂直であって、しかも当該外リブ板４２の幅方向の中央部に当該平板基板４１が配置されるようにして、一体に設けられている。換言すると、一定幅の外リブ板４２は、その半分の幅の部分が、平板基板４１に対してそれぞれ表裏両側に突出している。当該平板基板４１の表裏両面における裏面の前記クランプ具Ｃの被取付け平面４を除く部分には、前記外リブ板４２の幅の半分の幅を有する多数の縦リブ板４３及び横リブ板４４が互いに直角に交差し、しかも大部分の縦リブ板４３及び横リブ板４４の一方又は双方の端部は、前記外リブ板４２の内面に対して一体に接続されている。上記した外リブ板４２、縦リブ板４３及び横リブ板４４によって、逆Ｔ字平板状の平板基板４１が補強されることで、ハンガー本体ＨＢ1 が形成されているので、当該ハンガー本体ＨＢ1 は、樹脂製であるため軽量でありながら、その全体強度（剛性）が高められる構造になっている。
【００２２】
垂直基部１の下端の突出部には、工具用腰ベルトＢを引っ掛けるための腰ベルト用フックＦ1 が斜上方に突出して形成されている。腰ベルト用フックＦ1 を形成するフック板５の基端部は、前記縦リブ板４３及び横リブ板４４と一体化され、しかも当該フック板５の裏面の幅方向の中央部にフックリブ板４５が設けられることで、工具用腰ベルトＢの吊掛け強度が確保されている。全く同様にして、垂直基部１の上半部の幅広部の下端部には、ヘルメットＭを引っ掛けるためのヘルメット用フックＦ2 が斜上方に向けてハンガー本体ＨＢ1 に対して一体に形成されている。ヘルメット用フックＦ2 は、基端部が前記縦リブ板４３及び横リブ板４４と一体化されたフック板６の背面側がフックリブ板４５で補強されている。また、平板基板４１における垂直基部１の幅広部の部分であって、前記ヘルメット用フックＦ2 の直上部には、クランプ具Ｃの取付け面２２から突出した取着ボルト２１を挿通させるためのボルト挿通孔１１が形成され、平板基板４１の表面における当該ボルト挿通孔１１の周囲は、囲繞リブ板４６で囲まれることで、六角ナット孔７が形成される。なお、図６（ｂ）は、リブ自体を断面した変則図法で図示してある。
【００２３】
図５（ｂ）に示されるように、前記ネームプレート部８は、前記平板基板４１を上方に延長させて、その延長部を横長の長方形状に形成することで構成され、当該ネームプレート部８は、その背面側に、平行配置された各外リブ板４２の上端部を直角三角形状に形成した背面支持板部９で支持されている。
【００２４】
一方、クランプ具Ｃは、既設のものであって、前記ハンガー本体ＨＢ1 の平板基板４１の被取付け平面４に取着ボルト２１により固定される取付け平面２２を有するベース体２３と、当該ベース体２３の背面側の下端部に回動ピン２４を介して回動可能に連結された円弧状のクランプ体２５と、当該ベース体２３の背面側の上端部に回動ピン２６を介して回動可能に連結された締付ボルト２７とで構成され、前記ベース体２３の背面側及び前記クランプ体２５の内面側に、吊下げパイプＰの外径に対応するように内端面が円弧状に形成された一対のクランプ板２８，２９が所定間隔をおいて対向して形成されている。
【００２５】
そして、図５及び図６（ｂ）に示されるように、ハンガーＨ1 の前面の六角ナット孔７にナット３１を挿入した状態で、クランプ具Ｃのベース体２３の前面の取付け平面２２を、ハンガー本体ＨＢ1 の背面の被取付け平面４に密着させて、クランプ具Ｃの取付け平面２２から突出している取着ボルト２１を、ハンガー本体ＨＢ1 のリブ板４２に形成されたボルト挿通孔１１に挿通させた状態で、ベース体２３の背面側に突出している当該取着ボルト２１を回動させて、前記六角ナット孔７内のナット３１に螺合させると、ハンガー本体ＨＢ1 の垂直基部１の上端部の背面側にクランプ具Ｃが一体に取着される。
【００２６】
そして、図６（ｂ）に示されるように、ベース体２３及びクランプ体２５の各クランプ板２８，２９の間に吊下げパイプＰを配置させた状態で、ベース体２３に対してクランプ体２５を回動させて、吊下げパイプＰの外周面に密着させ、この状態で、ベース体２３に対して締付ボルト２７を回動させて、その先端部を、前記クランプ体２５に形成された締付け溝３２に挿入し、当該締付ボルト２７における締付け溝３２から後方に突出した部分に螺合されたナット３３を締め込むと、吊下げパイプＰに対してハンガーＨ1 が回動不能に吊り下げられる。なお、図６（ｂ）において、３４は、外面が取付け平面２２となっているベース板部を示す。
【００２７】
そして、ハーネス型の墜落制止用器具Ａの非使用時には、図２に示されるように、その左右一対の肩ベルト６１の部分を、ハンガー本体ＨＢ1 の吊掛け部２における垂直基部１で左右に二分された各部分に吊り掛けると、多数のベルトが一体に連結された当該墜落制止用器具Ａは、左右対称形状となっていて、一対の肩ベルト６１の途中の部分が胸ベルト６２及び胴ベルト６３で連結され、一対の肩ベルト６１の下端部に、それぞれ環状の腿ベルト６４が連結されていると共に、一対の肩ベルト６１の下端部は、骨盤ベルト６５で互いに連結された形状であるために、一対の肩ベルト６１は、ハンガー本体ＨＢ1 の吊掛け部２の長さに対応した間隔を保持して、墜落制止用器具Ａの全体が、ハンガー本体ＨＢ1 の吊掛け部２に垂れ下がった状態で保持される。各胸ベルト６２は、吊掛け部２の両端部に設けられたベルト外れ防止部３の存在によって、外方にずれて外れるのが防止されている。
【００２８】
また、ハンガー本体ＨＢ1 は、クランプ具Ｃを介して吊下げパイプＰに取着されていて、当該吊下げパイプＰに対して回動しないので、同一の吊下げパイプＰに近接して多数のハーネス型の墜落制止用器具Ａが吊り下げられていても、多数のベルトが一体に連結されて、下方に長く垂れ下がっている当該墜落制止用器具Ａの吊下げ配置姿勢は、不変であるので、隣接する墜落制止用器具Ａどうしが絡み合うこともない。
【００２９】
また、作業者が使用する工具用腰ベルトＢ及びヘルメットＭは、それぞれハンガー本体ＨＢ1 に設けられた各フックＦ1 ，Ｆ2 に吊り掛けることで、高所作業で使用されるハーネス型の墜落制止用器具Ａ、工具用腰ベルトＢ及びヘルメットＭの３点が同一のハンガー本体ＨＢ1 に吊り掛けられる。墜落制止用器具Ａ、工具用腰ベルトＢ及びヘルメットＭは、それぞれハンガー本体ＨＢ1 に対して前後方向にずれた位置に配置されるので、互いに絡み合うことはない。
【実施例２】
【００３０】
本発明の実施例２のハンガーＨ2 が、図７に示されており、実施例１のハンガーＨ1 と異なる部分についてのみ説明する。ハンガーＨ2 は、金属板製のハンガー本体ＨＢ2 と、前記クランプ具Ｃとから成る。ハンガー本体ＨＢ2 は、垂直基部１’と吊掛け部２’とが一体の金属板で形成されて、当該吊掛け部２’の両端部にベルト外れ防止部３’が上方に向けて一体に形成され、垂直基部１’の下端部に、金属棒から成るＬ字型のフックＦ3 が前方に突出した形態で、背面側において溶接により固着された構成である。垂直基部１’の上端部は、クランプ具Ｃのベース体２３を取付け可能にするために、他の部分に比較して幅広に形成されて、当該幅広部１'aの幅方向の両端部に、クランプ具Ｃのベース体２３の両側に嵌着される嵌着板部１２が背面側に直角に折り曲げられて形成されている。当該幅広部１'aには、クランプ具Ｃの取着ボルト２１を挿通させるボルト挿通孔１１’が形成されている。
【００３１】
クランプ具Ｃのベース体２３の取付け平面２２を、ハンガー本体ＨＢ2 の垂直基部１’の幅広部１'aの背面の被取付け面に密着させて、当該ベース体２３から前方に突出している取着ボルト２１を、前記幅広部１'aに形成されたボルト挿通孔１１’に挿通させると、当該幅広部１'aの幅方向の両端部に背面側に向けて一体形成された各嵌着板部１２が、クランプ具Ｃのベース体２３の両側面に嵌着され、この状態で、前記取着ボルト２１にナット３１を螺合させると、クランプ具Ｃを介して吊下げパイプＰにハンガー本体ＨＢ2 が回動不能に取着される。
【００３２】
実施例１のハンガーＨ1 と同様にして、ハンガー本体ＨＢ2 の吊掛け部２’に、ハーネス型の墜落制止用器具Ａを構成する一対の肩ベルト６１を吊り掛け、フックＦ3 には、工具用腰ベルトＢ又はヘルメットＭを吊り掛けて使用する。
【実施例３】
【００３３】
本発明の実施例３のハンガーＨ3 が、図８に示されている。ハンガー本体ＨＢ3 は、実施例２のハンガー本体ＨＢ2 に対して、垂直基部１''が金属板で形成されて、クランプ具Ｃのベース体２３の前面の取付け平面２２に対して溶接Ｗにより固着され、当該垂直基部１''の下端部に、両端部が上方に折り曲げられてベルト外れ防止部３''となった吊掛け部２''が溶接Ｗにより固着され、前記垂直基部１''の下端部に、金属棒をＬ字形に折り曲げたフックＦ3 が溶接により固着された構成である。
【００３４】
上記構成により、ハンガー本体ＨＢ3 は、クランプ具Ｃを介して吊下げパイプＰに回動不能に取着される。なお、ハンガー本体ＨＢ3 に対するハーネス型の墜落制止用器具Ａの吊り掛けは、前記ハンガー本体ＨＢ2 に準じる。
【実施例４】
【００３５】
本発明の実施例４のハンガーＨ4 が、図９に示されている。実施例３のハンガー本体ＨＢ3 は、金属板と金属棒とを組み合わせて形成されているのに対して、実施例４のハンガー本体ＨＢ4 は、金属棒のみで構成されている点が異なる。即ち、ハンガー本体ＨＢ4 は、垂直基部１''' を構成する金属棒の下端部をＬ字形に折り曲げることでフックＦ4 が形成され、当該フックＦ4 は、水平部１３と垂直部１４とで構成されて、当該水平部１３に、金属棒の両端部を上方に折り曲げることで外れ防止部３''' が形成された吊掛け部２''' の長さ方向の中央部が前記水平部１３に溶接Ｗにより固着された構成である。金属棒から成る垂直基部１''' の上端部は、クランプ具Ｃのベース体２３の取付け平面２２に溶接により固着されている。
【００３６】
上記構成により、ハンガー本体ＨＢ4 は、クランプ具Ｃを介して吊下げパイプＰに回動不能に取着される。なお、ハンガー本体ＨＢ4 に対するハーネス型の墜落制止用器具Ａの吊り掛けは、前記ハンガー本体ＨＢ2 に準じる。
【００３７】
なお、吊下げパイプＰに対してハンガー本体ＨＢ1 〜ＨＢ4 を回動不能に取着させるための取着体に関しては、別体構造の上記クランプ具Ｃに限定されないと共に、ハンガー本体ＨＢ1 〜ＨＢ4 に対して一体に形成された構成であってもよい。
【符号の説明】
【００３８】
Ａ：墜落制止用器具
Ｂ：工具用腰ベルト
Ｃ：クランプ具（取着具）
Ｆ1 〜Ｆ4 ：フック
Ｈ1 〜Ｈ4 ：ハンガー
ＨＢ1 〜ＨＢ4 ：ハンガー本体
Ｍ：ヘルメット
Ｐ：吊下げパイプ（吊下げバー）
１：垂直基部
２：吊掛け部
３：ベルト外れ防止部
４：被取付け平面
８：ネームプレート部
【図１】
2020188982.tif 000003
【図２】
2020188982.tif 000004
【図３】
2020188982.tif 000005
【図４】
2020188982.tif 000006
【図５】
2020188982.tif 000007
【図６】
2020188982.tif 000008
【図７】
2020188982.tif 000009
【図８】
2020188982.tif 000010
【図９】
2020188982.tif 000011